(57)【要約】      （修正有）【課題】リファイニング時に発生する蒸気が滞らずに速やかに、リファイニングディスク間から放出され、なおかつ原材料は必要な時間だけリファイニングディスク間に滞留して処理されることが要求される。しかし、様々な原材料に対して、総じて効果が発揮できるものではなく、より細やかな対応を必要としている。【解決手段】第１、第２のリファイナーディスクの相対する面側に多数の突出要素を備え、両リファイナーディスクの突出要素間に導入された原材料が両リファイナーディスク間の所定相対回転運動によって摩擦され該原材料から発生した蒸気が滞らずに内周側から外周に向かって放出し、かつ原材料が内周から外周に向かって移動する過程において、必要な所望のリファイニングが得られるように、内周側の突出要素と、外周側の突出要素の深さを決定し、特に内周側の突出要素が外周側の突出要素に比較して総合的に突出量が大きくなるようにした。【選択図】図１
2005350848.tif 000002
【特許請求の範囲】
【請求項１】
原材料を入れる入口を有するハウジングと、該ハウジング内において、該ハウジング中心軸のまわりで回転するように取り付けられたロータと、該ロータに取り付けられた第１のリファイナーディスクと、該第１のリファイナーディスクと向き合う位置に固定される第２のリファイナーディスクとから成り、第１、第２のリファイナーディスクの相対する面側に多数の突出要素を備え、第１、第２のリファイナーディスクの突出要素間に導入された原材料が第１、第２のリファイナーディスク間の所定相対回転運動によって摩擦され該原材料から発生した蒸気が滞らずに内周側から外周に向かって放出し、かつ原材料が内周から外周に向かって移動する過程において、必要な所望のリファイニングが得られるように、内周側の突出要素と、外周側の突出要素の深さを決定したことを特徴とする、原料樹材をパルプ化するためのリファイナーディスク。
【請求項２】
内周側の突出要素が外周側の突出要素に比較して総合的に突出量が大きくなるようにした、請求項１に記載のリファイナーディスク。
【発明の詳細な説明】
【技術分野】
【０００１】
原材料を入れる入口を有するハウジングと、該ハウジング内において、該ハウジング中心軸のまわりで回転するように取り付けられたロータと、該ロータに取り付けられた第１のリファイナーディスクと、該第１のリファイナーディスクと向き合う位置に固定される第２のリファイナーディスクとから成り、第１、第２のリファイナーディスクの相対する面側に多数の突出要素を備え、第１、第２のリファイナーディスクの突出要素間に予め小片化した原料樹材を導入する円盤状のリファイナー装置が効率の良さ、ならびに消耗品であるリファイナーディスク交換の容易性などの理由によって、この種の方式が主流になってきている。そして本発明は、このリファイナー装置に消耗品として用いられているリファイナーディスクに関するものである。
【背景技術】
【０００２】
以上のリファイナー装置において、原材料をより速やかに且つ十分なリファイニング効果が達成できることが要求されている。しかしながら、原材料が内周から外周に向かって処理される工程を時間的に長く設定することのみでリファイニング効果が十分に達成されるとは限らない現象が知見された。すなわち、処理中において発生する主として蒸気がそのリファイニングディスク間で滞ることによって、十分な処理時間を費やしても十分なリファイニング効果が得られない現状があった。
【０００３】
したがって、リファイニング時に発生する蒸気が滞らずに速やかに、リファイニングディスク間から放出され、なおかつ原材料は必要な時間だけリファイニングディスク間に滞留して処理されることが要求される。従来においては、特許文献１のように蒸気の逃げ路を積極的に設ける技術が開示されているが、様々な原材料に対して、総じて効果が発揮できるものではなく、より細やかな対応を必要としている。
【特許文献１】特開平９−１８８９８４号公報
【発明の開示】
【発明が解決しようとする課題】
【０００４】
上記目的を達成するために、本発明によるリファイナーディスクは、原材料を入れる入口を有するハウジングと、該ハウジング内において、該ハウジング中心軸のまわりで回転するように取り付けられたロータと、該ロータに取り付けられた第１のリファイナーディスクと、該第１のリファイナーディスクと向き合う位置に固定される第２のリファイナーディスクとから成り、第１、第２のリファイナーディスクの相対する面側に多数の突出要素を備え、第１、第２のリファイナーディスクの突出要素間に導入された原材料が第１、第２のリファイナーディスク間の所定相対回転運動によって摩擦され該原材料から発生した蒸気が滞らずに内周側から外周に向かって放出し、かつ原材料が内周から外周に向かって移動する過程において、必要な所望のリファイニングが得られるように、内周側の突出要素と、外周側の突出要素の深さを決定したことを特徴としたものであり、特に内周側の突出要素が外周側の突出要素に比較して総合的に突出量が大きくなるようにしたことを特徴としている。
【発明の効果】
【０００５】
本発明によれば、原材料に応じて、リファイニングディスクの突出要素の突出量を微妙に調節をしつつ、原材料から発生した蒸気が滞らずに内周側から外周に向かって放出し、かつ原材料が内周から外周に向かって移動する過程において、必要な所望のリファイニングが得られるように、内周側の突出要素と、外周側の突出要素の深さを決定したことを特徴とした、リファイナーディスクであり、様々な原材料に応じた対応が突出要素の細かな傾向によって対応ができ、なおかつ、その全体の傾向を特に内周側の突出要素が外周側の突出要素に比較して総合的に突出量が大きくなるようにしたことによって、十分なリファイニングを、必要最小限の時間で処理することができるリファイナーディスクが提供される。
【発明を実施するための最良の形態】
【０００６】
以下、添付図面を参照して本発明の実施形態について説明する。  
各図において、複雑な突出要素が描かれている側が平面であり、平坦な面が背面側となる。また、略長方形状に描かれているものが、側面側であり、各断面図には、断面指示線とアルファベットが記載している。さらに、アルファベットは各々バリエーションごとにＡから記載されているので、その記載符号は、重複記載になっている。  
また、リファイナー装置全体は、図示せず、専らリファイニングディスクだけを図示している。
【０００７】
図１乃至図３は本発明の一実施形態のリファイナーディスク＜01＞を表している。このリファイナーディスク＜01＞は、調成用リファイナーディスクであり、パルプを原料とするリファイナーに使用する。
【０００８】
図４乃至図６は本発明の一実施形態のリファイナーディスク＜02＞を表している。このリファイナーディスク＜02＞は、調成用リファイナーディスクであり、パルプを原料とするリファイナーに使用し、刃が細かくリファイニング効果が高い特徴を備えている。
【０００９】
図７乃至図９は本発明の一実施形態のリファイナーディスク＜03＞を表している。このリファイナーディスク＜03＞は機械パルプ用リファイナーディスクであり、チップを原料とするリファイナーに使用し、パルプ化を行うのに適している。
【００１０】
図１０乃至図１２は本発明の一実施形態のリファイナーディスク＜04＞を表している。このリファイナーディスク＜04＞は調成用リファイナーディスクであり、パルプを原料とするリファイナーに適している。
【００１１】
図１３乃至図１５は本発明の一実施形態のリファイナーディスク＜05＞を表している。このリファイナーディスク＜05＞は機械パルプ用リファイナーディスクであり、チップを原料とするリファイナーに使用し、パルプ化を行うのに適している。
【００１２】
図１６乃至図１８は本発明の一実施形態のリファイナーディスク＜06＞を表している。このリファイナーディスク＜06＞は機械パルプ用リファイナーディスクであり、刃が荒く、荒いチップを処理するのに効果を発揮する。
【００１３】
図１９乃至図２１は本発明の一実施形態のリファイナーディスク＜07＞を表している。このリファイナーディスク＜07＞は機械パルプ用リファイナーディスクであり、法線方向に対して刃の角度が段階的に変化しているのが特徴であり、省エネルギータイプのリファイナーディスクである。
【００１４】
図２２乃至図２４は本発明の一実施形態のリファイナーディスク＜08＞を表している。このリファイナーディスク＜08＞は機械パルプ用リファイナーディスクである。
【００１５】
図２５乃至図２７は本発明の一実施形態のリファイナーディスク＜09＞を表している。このリファイナーディスク＜09＞は機械パルプ用リファイナーディスクであり、法線方向に対して刃の角度が段階的に変化しているのが特徴であり、省エネルギータイプのリファイナーディスクである。
【００１６】
図２８乃至図３０は本発明の一実施形態のリファイナーディスク＜10＞を表している。このリファイナーディスク＜10＞は機械パルプ用リファイナーディスクであり、法線方向に対して刃の角度が段階的に変化している特徴を備え、その構造によって回転時のエネルギー損失が少ないリファイナーディスクである。
【００１７】
図３１乃至図３３は本発明の一実施形態のリファイナーディスク＜11＞を表している。このリファイナーディスク＜11＞は機械パルプ用リファイナーディスクであり、法線方向に対して刃の角度が段階的に変化している特徴を備え、その構造によって回転時のエネルギー損失が少ないリファイナーディスクである。
【００１８】
図３４乃至図３６は本発明の一実施形態のリファイナーディスク＜12＞を表している。このリファイナーディスク＜12＞は機械パルプ用リファイナーディスクである。
【００１９】
図３７乃至図３９は本発明の一実施形態のリファイナーディスク＜13＞を表している。このリファイナーディスク＜13＞は機械パルプ用で、法線方向に対して刃の角度が段階的に変化している特徴があり、それによって、省エネルギータイプになっている。
【００２０】
図４０乃至図４２は本発明の一実施形態のリファイナーディスク＜14＞を表している。このリファイナーディスク＜14＞はボード用であり、刃が放射状に延びている特徴を備えている。
【００２１】
図４３乃至４５は本発明の一実施形態のリファイナーディスク＜15＞を表している。このリファイナーディスク＜15＞は調成用リファイナーディスクである。
【００２２】
図４６乃至図４８は本発明の一実施形態のリファイナーディスク＜16＞を表している。このリファイナーディスク＜16は調成用リファイナーディスクである。
【００２３】
図４９乃至図５１は本発明の一実施形態のリファイナーディスク＜17＞を表している。このリファイナーディスク＜17＞は調成用リファイナーディスクである。
【００２４】
図５２乃至図５４は本発明の一実施形態のリファイナーディスク＜18＞を表している。このリファイナーディスク＜18＞は調成用リファイナーディスクであり、細かい刃が多段に別れている特徴を備えている。
【００２５】
図５５乃至図５７は本発明の一実施形態のリファイナーディスク＜19＞を表している。このリファイナーディスク＜19＞は調成用リファイナーディスクであり、細かい溝の間に大きな溝があり、パルプの流れを改善させている特徴を備えている。
【００２６】
図５８乃至図６０は本発明の一実施形態のリファイナーディスク＜20＞を表している。このリファイナーディスク＜20＞は調成用リファイナーディスクであり、細かい溝の間に大きな溝があり、パルプの流れを改善させている特徴を備えている。
【００２７】
図６１乃至図６３は本発明の一実施形態のリファイナーディスク＜21＞を表している。このリファイナーディスク＜21＞は調成用リファイナーディスクであり、細かい溝の間に大きな溝があり、パルプの流れを改善させている特徴を備えている。
【００２８】
図６４乃至図６６は本発明の一実施形態のリファイナーディスク＜22＞を表している。このリファイナーディスク＜22＞は調成用リファイナーディスクである。
【００２９】
図６７乃至図６９は本発明の一実施形態のリファイナーディスク＜23＞を表している。このリファイナーディスク＜23＞は調成用リファイナーディスクであり、細かい刃が多段に別れているのが特徴である。
【００３０】
図７０乃至図７２は本発明の一実施形態のリファイナーディスク＜24＞を表している。このリファイナーディスク＜24＞は調成用リファイナーディスクであり、パルプを原料とするリファイナーに使用され、刃が細かくリファイニング効果が高い特徴を備えている。
【００３１】
図７３乃至図７５は本発明の一実施形態のリファイナーディスク＜25＞を表している。このリファイナーディスク＜25＞は調成用リファイナーディスクであり、細かい溝の間に大きな溝があるのが特徴。パルプの流れを改善しているタイプのリファイナーディスクである。
【００３２】
図７６乃至図７８は本発明の一実施形態のリファイナーディスク＜26＞を表している。このリファイナーディスク＜26＞はボード用リファイナーディスクであり、荒いチップに適している。
【００３３】
図７９乃至図８１は本発明の一実施形態のリファイナーディスク＜27＞を表している。このリファイナーディスク＜27＞は調成用リファイナーディスクである。
【００３４】
図８２乃至図８４は本発明の一実施形態のリファイナーディスク＜28＞を表している。このリファイナーディスク＜28＞はボード用リファイナーディスクである。
【００３５】
図８５乃至図８７は本発明の一実施形態のリファイナーディスク＜29＞を表している。このリファイナーディスク＜29＞はボード用リファイナーディスクである。
【００３６】
図８８乃至図９０は本発明の一実施形態のリファイナーディスク＜30＞を表している。このリファイナーディスク＜30＞はボード用リファイナーディスクである。
【００３７】
図８８乃至図９０は本発明の一実施形態のリファイナーディスク＜30＞を表している。このリファイナーディスク＜30＞はボード用リファイナーディスクである。
【００３８】
図９１乃至図９３は本発明の一実施形態のリファイナーディスク＜31＞を表している。このリファイナーディスク＜31＞はボード用リファイナーディスクである。
【００３９】
図９４乃至図９６は本発明の一実施形態のリファイナーディスク＜32＞を表している。このリファイナーディスク＜32＞はボード用リファイナーディスクである。
【００４０】
図９７乃至図９９は本発明の一実施形態のリファイナーディスク＜33＞を表している。このリファイナーディスク＜33＞はボード用リファイナーディスクである。
【００４１】
図１００乃至図１０２は本発明の一実施形態のリファイナーディスク＜34＞を表している。このリファイナーディスク＜34＞はボード用リファイナーディスクである。
【００４２】
図１０３乃至図１０５は本発明の一実施形態のリファイナーディスク＜35＞を表している。このリファイナーディスク＜35＞はボード用リファイナーディスクである。
【００４３】
図１０６乃至図１０８は本発明の一実施形態のリファイナーディスク＜36＞を表している。このリファイナーディスク＜36＞は調成用リファイナーディスクである。
【００４４】
図１０９乃至図１１１は本発明の一実施形態のリファイナーディスク＜37＞を表している。このリファイナーディスク＜37＞は古紙用リファイナーディスクであり、主に古紙パルプに使用され、刃の形および配置に特徴がある。
【００４５】
図１１２乃至図１１４は本発明の一実施形態のリファイナーディスク＜38＞を表している。このリファイナーディスク＜38＞は古紙用リファイナーディスクであり、主に古紙パルプに使用され、刃の形および配置に特徴がある。
【００４６】
図１１５乃至図１１７は本発明の一実施形態のリファイナーディスク＜39＞を表している。このリファイナーディスク＜39＞は古紙用リファイナーディスクであり、主に古紙パルプに使用され、刃の形および配置に特徴がある。
【００４７】
図１１８乃至図１２０は本発明の一実施形態のリファイナーディスク＜40＞を表している。このリファイナーディスク＜40＞は調成用リファイナーディスクであり、ディスクの一枚一枚の形状に特徴がある。
【００４８】
図１２１乃至図１２３は本発明の一実施形態のリファイナーディスク＜41＞を表している。このリファイナーディスク＜41＞は調成用リファイナーディスクであり、一枚一枚の形状に特徴がある。
【図面の簡単な説明】
【００４９】
【図１】図１はリファイナーディスク＜01＞を表している。
【図２】図２はリファイナーディスク＜01＞を表している。
【図３】図３はリファイナーディスク＜01＞を表している。
【図４】図４はリファイナーディスク＜02＞を表している。
【図５】図５はリファイナーディスク＜02＞を表している。
【図６】図６はリファイナーディスク＜02＞を表している。
【図７】図７はリファイナーディスク＜03＞を表している。
【図８】図８はリファイナーディスク＜03＞を表している。
【図９】図９はリファイナーディスク＜03＞を表している。
【図１０】図１０はリファイナーディスク＜04＞を表している。
【図１１】図１１はリファイナーディスク＜04＞を表している。
【図１２】図１２はリファイナーディスク＜04＞を表している。
【図１３】図１３はリファイナーディスク＜05＞を表している。
【図１４】図１４はリファイナーディスク＜05＞を表している。
【図１５】図１５はリファイナーディスク＜05＞を表している。
【図１６】図１６はリファイナーディスク＜06＞を表している。
【図１７】図１７はリファイナーディスク＜06＞を表している。
【図１８】図１８はリファイナーディスク＜06＞を表している。
【図１９】図１９はリファイナーディスク＜07＞を表している。
【図２０】図２０はリファイナーディスク＜07＞を表している。
【図２１】図２１はリファイナーディスク＜07＞を表している。
【図２２】図２２はリファイナーディスク＜08＞を表している。
【図２３】図２３はリファイナーディスク＜08＞を表している。
【図２４】図２４はリファイナーディスク＜08＞を表している。
【図２５】図２５はリファイナーディスク＜09＞を表している。
【図２６】図２６はリファイナーディスク＜09＞を表している。
【図２７】図２７はリファイナーディスク＜09＞を表している。
【図２８】図２８はリファイナーディスク＜10＞を表している。
【図２９】図２９はリファイナーディスク＜10＞を表している。
【図３０】図３０はリファイナーディスク＜10＞を表している。
【図３１】図３１はリファイナーディスク＜11＞を表している。
【図３２】図３２はリファイナーディスク＜11＞を表している。
【図３３】図３３はリファイナーディスク＜11＞を表している。
【図３４】図３４はリファイナーディスク＜12＞を表している。
【図３５】図３５はリファイナーディスク＜12＞を表している。
【図３６】図３６はリファイナーディスク＜12＞を表している。
【図３７】図３７はリファイナーディスク＜13＞を表している。
【図３８】図３８はリファイナーディスク＜13＞を表している。
【図３９】図３９はリファイナーディスク＜13＞を表している。
【図４０】図４０はリファイナーディスク＜14＞を表している。
【図４１】図４１はリファイナーディスク＜14＞を表している。
【図４２】図４２はリファイナーディスク＜14＞を表している。
【図４３】図４３はリファイナーディスク＜15＞を表している。
【図４４】図４４はリファイナーディスク＜15＞を表している。
【図４５】図４５はリファイナーディスク＜15＞を表している。
【図４６】図４６はリファイナーディスク＜16＞を表している。
【図４７】図４７はリファイナーディスク＜16＞を表している。
【図４８】図４８はリファイナーディスク＜16＞を表している。
【図４９】図４９はリファイナーディスク＜17＞を表している。
【図５０】図５０はリファイナーディスク＜17＞を表している。
【図５１】図５１はリファイナーディスク＜17＞を表している。
【図５２】図５２はリファイナーディスク＜18＞を表している。
【図５３】図５３はリファイナーディスク＜18＞を表している。
【図５４】図５４はリファイナーディスク＜18＞を表している。
【図５５】図５５はリファイナーディスク＜19＞を表している。
【図５６】図５６はリファイナーディスク＜19＞を表している。
【図５７】図５７はリファイナーディスク＜19＞を表している。
【図５８】図５８はリファイナーディスク＜20＞を表している。
【図５９】図５９はリファイナーディスク＜20＞を表している。
【図６０】図６０はリファイナーディスク＜20＞を表している。
【図６１】図６１はリファイナーディスク＜21＞を表している。
【図６２】図６２はリファイナーディスク＜21＞を表している。
【図６３】図６３はリファイナーディスク＜21＞を表している。
【図６４】図６４はリファイナーディスク＜22＞を表している。
【図６５】図６５はリファイナーディスク＜22＞を表している。
【図６６】図６６はリファイナーディスク＜22＞を表している。
【図６７】図６７はリファイナーディスク＜23＞を表している。
【図６８】図６８はリファイナーディスク＜23＞を表している。
【図６９】図６９はリファイナーディスク＜23＞を表している。
【図７０】図７０はリファイナーディスク＜24＞を表している。
【図７１】図７１はリファイナーディスク＜24＞を表している。
【図７２】図７２はリファイナーディスク＜24＞を表している。
【図７３】図７３はリファイナーディスク＜25＞を表している。
【図７４】図７４はリファイナーディスク＜25＞を表している。
【図７５】図７５はリファイナーディスク＜25＞を表している。
【図７６】図７６はリファイナーディスク＜26＞を表している。
【図７７】図７７はリファイナーディスク＜26＞を表している。
【図７８】図７８はリファイナーディスク＜26＞を表している。
【図７９】図７９はリファイナーディスク＜27＞を表している。
【図８０】図８０はリファイナーディスク＜27＞を表している。
【図８１】図８１はリファイナーディスク＜27＞を表している。
【図８２】図８２はリファイナーディスク＜28＞を表している。
【図８３】図８３はリファイナーディスク＜28＞を表している。
【図８４】図８４はリファイナーディスク＜28＞を表している。
【図８５】図８５はリファイナーディスク＜29＞を表している。
【図８６】図８６はリファイナーディスク＜29＞を表している。
【図８７】図８７はリファイナーディスク＜29＞を表している。
【図８８】図８８はリファイナーディスク＜30＞を表している。
【図８９】図８９はリファイナーディスク＜30＞を表している。
【図９０】図９０はリファイナーディスク＜30＞を表している。
【図９１】図９１はリファイナーディスク＜31＞を表している。
【図９２】図９２はリファイナーディスク＜31＞を表している。
【図９３】図９３はリファイナーディスク＜31＞を表している。
【図９４】図９４はリファイナーディスク＜32＞を表している。
【図９５】図９５はリファイナーディスク＜32＞を表している。
【図９６】図９６はリファイナーディスク＜32＞を表している。
【図９７】図９７はリファイナーディスク＜33＞を表している。
【図９８】図９８はリファイナーディスク＜33＞を表している。
【図９９】図９９はリファイナーディスク＜33＞を表している。
【図１００】図１００はリファイナーディスク＜34＞を表している。
【図１０１】図１０１はリファイナーディスク＜34＞を表している。
【図１０２】図１０２はリファイナーディスク＜34＞を表している。
【図１０３】図１０３はリファイナーディスク＜35＞を表している。
【図１０４】図１０４はリファイナーディスク＜35＞を表している。
【図１０５】図１０５はリファイナーディスク＜35＞を表している。
【図１０６】図１０６はリファイナーディスク＜36＞を表している。
【図１０７】図１０７はリファイナーディスク＜36＞を表している。
【図１０８】図１０８はリファイナーディスク＜36＞を表している。
【図１０９】図１０９はリファイナーディスク＜37＞を表している。
【図１１０】図１１０はリファイナーディスク＜37＞を表している。
【図１１１】図１１１はリファイナーディスク＜37＞を表している。
【図１１２】図１１２はリファイナーディスク＜38＞を表している。
【図１１３】図１１３はリファイナーディスク＜38＞を表している。
【図１１４】図１１４はリファイナーディスク＜38＞を表している。
【図１１５】図１１５はリファイナーディスク＜39＞を表している。
【図１１６】図１１６はリファイナーディスク＜39＞を表している。
【図１１７】図１１７はリファイナーディスク＜39＞を表している。
【図１１８】図１１８はリファイナーディスク＜40＞を表している。
【図１１９】図１１９はリファイナーディスク＜40＞を表している。
【図１２０】図１２０はリファイナーディスク＜40＞を表している。
【図１２１】図１２１はリファイナーディスク＜41＞を表している。
【図１２２】図１２２はリファイナーディスク＜41＞を表している。
【図１２３】図１２３はリファイナーディスク＜41＞を表している。
【図１】
2005350848.tif 000003
【図２】
2005350848.tif 000004
【図３】
2005350848.tif 000005
【図４】
2005350848.tif 000006
【図５】
2005350848.tif 000007
【図６】
2005350848.tif 000008
【図７】
2005350848.tif 000009
【図８】
2005350848.tif 000010
【図９】
2005350848.tif 000011
【図１０】
2005350848.tif 000012
【図１１】
2005350848.tif 000013
【図１２】
2005350848.tif 000014
【図１３】
2005350848.tif 000015
【図１４】
2005350848.tif 000016
【図１５】
2005350848.tif 000017
【図１６】
2005350848.tif 000018
【図１７】
2005350848.tif 000019
【図１８】
2005350848.tif 000020
【図１９】
2005350848.tif 000021
【図２０】
2005350848.tif 000022
【図２１】
2005350848.tif 000023
【図２２】
2005350848.tif 000024
【図２３】
2005350848.tif 000025
【図２４】
2005350848.tif 000026
【図２５】
2005350848.tif 000027
【図２６】
2005350848.tif 000028
【図２７】
2005350848.tif 000029
【図２８】
2005350848.tif 000030
【図２９】
2005350848.tif 000031
【図３０】
2005350848.tif 000032
【図３１】
2005350848.tif 000033
【図３２】
2005350848.tif 000034
【図３３】
2005350848.tif 000035
【図３４】
2005350848.tif 000036
【図３５】
2005350848.tif 000037
【図３６】
2005350848.tif 000038
【図３７】
2005350848.tif 000039
【図３８】
2005350848.tif 000040
【図３９】
2005350848.tif 000041
【図４０】
2005350848.tif 000042
【図４１】
2005350848.tif 000043
【図４２】
2005350848.tif 000044
【図４３】
2005350848.tif 000045
【図４４】
2005350848.tif 000046
【図４５】
2005350848.tif 000047
【図４６】
2005350848.tif 000048
【図４７】
2005350848.tif 000049
【図４８】
2005350848.tif 000050
【図４９】
2005350848.tif 000051
【図５０】
2005350848.tif 000052
【図５１】
2005350848.tif 000053
【図５２】
2005350848.tif 000054
【図５３】
2005350848.tif 000055
【図５４】
2005350848.tif 000056
【図５５】
2005350848.tif 000057
【図５６】
2005350848.tif 000058
【図５７】
2005350848.tif 000059
【図５８】
2005350848.tif 000060
【図５９】
2005350848.tif 000061
【図６０】
2005350848.tif 000062
【図６１】
2005350848.tif 000063
【図６２】
2005350848.tif 000064
【図６３】
2005350848.tif 000065
【図６４】
2005350848.tif 000066
【図６５】
2005350848.tif 000067
【図６６】
2005350848.tif 000068
【図６７】
2005350848.tif 000069
【図６８】
2005350848.tif 000070
【図６９】
2005350848.tif 000071
【図７０】
2005350848.tif 000072
【図７１】
2005350848.tif 000073
【図７２】
2005350848.tif 000074
【図７３】
2005350848.tif 000075
【図７４】
2005350848.tif 000076
【図７５】
2005350848.tif 000077
【図７６】
2005350848.tif 000078
【図７７】
2005350848.tif 000079
【図７８】
2005350848.tif 000080
【図７９】
2005350848.tif 000081
【図８０】
2005350848.tif 000082
【図８１】
2005350848.tif 000083
【図８２】
2005350848.tif 000084
【図８３】
2005350848.tif 000085
【図８４】
2005350848.tif 000086
【図８５】
2005350848.tif 000087
【図８６】
2005350848.tif 000088
【図８７】
2005350848.tif 000089
【図８８】
2005350848.tif 000090
【図８９】
2005350848.tif 000091
【図９０】
2005350848.tif 000092
【図９１】
2005350848.tif 000093
【図９２】
2005350848.tif 000094
【図９３】
2005350848.tif 000095
【図９４】
2005350848.tif 000096
【図９５】
2005350848.tif 000097
【図９６】
2005350848.tif 000098
【図９７】
2005350848.tif 000099
【図９８】
2005350848.tif 000100
【図９９】
2005350848.tif 000101
【図１００】
2005350848.tif 000102
【図１０１】
2005350848.tif 000103
【図１０２】
2005350848.tif 000104
【図１０３】
2005350848.tif 000105
【図１０４】
2005350848.tif 000106
【図１０５】
2005350848.tif 000107
【図１０６】
2005350848.tif 000108
【図１０７】
2005350848.tif 000109
【図１０８】
2005350848.tif 000110
【図１０９】
2005350848.tif 000111
【図１１０】
2005350848.tif 000112
【図１１１】
2005350848.tif 000113
【図１１２】
2005350848.tif 000114
【図１１３】
2005350848.tif 000115
【図１１４】
2005350848.tif 000116
【図１１５】
2005350848.tif 000117
【図１１６】
2005350848.tif 000118
【図１１７】
2005350848.tif 000119
【図１１８】
2005350848.tif 000120
【図１１９】
2005350848.tif 000121
【図１２０】
2005350848.tif 000122
【図１２１】
2005350848.tif 000123
【図１２２】
2005350848.tif 000124
【図１２３】
2005350848.tif 000125